(57)【要約】      （修正有）【課題】編組層の変位または糸の脱落によって接合箇所に破裂が発生する欠陥を防止することができる改良型汚泥収納用フレコンバッグ構造を提供する。【解決手段】改善型汚泥収納用フレコンバッグ構造において、積層基布により、上へ向かって開放される収容空間を囲んで形成する。該積層基布は、順番に設けられている外部被覆層１４、編組層１５及び内部被覆層１６から構成され、かつ積層基布の接合箇所の末端において、その末端を２つに折った後に縫うことで折り辺を形成し、更に高周波で積層基布の前、後端の粘着される接合箇所を熱溶解する。これにより、前記構造は、編組層１５を拘束し、かつ位置制限して、編組層１５の変位または糸の脱落を防止する。積層基布が汚泥を積載する時、膨張によって延伸されることで、接合箇所で編組層の変位または糸の脱落が発生して、積層基布が破裂する欠陥を防ぐことができる。【選択図】図６
0003187079.tif 000002
【実用新案登録請求の範囲】
【請求項１】
改善型汚泥収納用フレコンバッグ構造において、
少なくとも１つ積層基布を含み、該積層基布により囲まれて上へ向かって開放する収容空間を形成し、該積層基布は、順番に設けられている外部被覆層、編組層及び内部被覆層から構成されており、該積層基布の接合箇所の末端において、該積層基布の接合箇所の末端を２つに折った後に縫うことで、折り辺を形成して、該編組層を位置制限かつ拘束し、かつ、高周波で該積層基布の前、後端の粘着される接合箇所を熱溶解する、改善型汚泥収納用フレコンバッグ構造。
【請求項２】
前記編組層は、複数の経糸と緯糸により編成されている請求項１に記載の改善型汚泥収納用フレコンバッグ構造。
【請求項３】
前記編組層は、不織布である請求項１に記載の改善型汚泥収納用フレコンバッグ構造。
【請求項４】
前記外部被覆層は、選択的にポリ塩化ビニール(PVC)またはエチレン−酢酸ビニール共重合体(EVA)中の１つを用いる請求項１に記載の改善型汚泥収納用フレコンバッグ構造。
【請求項５】
前記内部被覆層は、ポリ塩化ビニール(PVC)またはエチレン−酢酸ビニール共重合体(EVA)から選ばれる１つを用いる請求項１に記載の改善型汚泥収納用フレコンバッグ構造。
【請求項６】
前記積層基布の外側には、吊り帯を挿入させる掛け部が更に設けられている請求項１に記載の改善型汚泥収納用フレコンバッグ構造。
【考案の詳細な説明】
【技術分野】
【０００１】
本考案は荷物収納用バッグの技術分野に関し、特に汚泥収納用フレコンバッグ構造に関する。
【背景技術】
【０００２】
従来の汚泥収納用フレコンバッグ構造は、図5〜図8に示されたように、少なくとも１つの積層基布1により収容空間11を囲んで構成され、かつ積層基布1の末端の接合箇所12において、高周波13により粘着された接合箇所を直接封着(連結)する。ここで、積層基布1は、外部被覆層14、編組層15、内部被覆層16により構成され、かつ編組層15の複数の経糸152と緯糸151(図6を参照)により重荷を受ける能力を提供している。
【０００３】
従来の汚泥収納用フレコンバッグ構造を実施する際に、高周波13で内部被覆層16、外部被覆層14のみを熱溶解して固定するが、編組層15における緯糸151と経糸152による拘束力が不十分で、収容空間11が汚泥を積載する時、特に1.7トン重さの汚泥の積載を必要とする際に、積層基布1が膨張によって延伸されている。編組層15が膨張によって延伸される力を受けることで、内部被覆層16、外部被覆層14の間に変位または糸の脱落が発生する。一旦、編組層15において、内部被覆層16、外部被覆層14の間に変位または糸の脱落が発生した場合、その箇所での積層基布1の重荷を受ける能力が低減されて、積層基布1に破裂(図7、図8を参照)が容易に発生している。積層基布が破裂された場合、汚泥収納用フレコンバッグが使用できなくなって廃棄までに至り、非常に残念で、かつ浪費が発生し、更に汚泥の排出によって2次汚染が発生している。
【０００４】
これにより、編組層15の変位または糸の脱落を防ぐことは、汚泥収納用フレコンバッグが破裂する欠陥を改善することに役に立ち、かつ汚泥収納用フレコンバッグの全体構造の強度を向上することができる。
【考案の概要】
【考案が解決しようとする課題】
【０００５】
上述の従来技術での問題点と欠陥を鑑みて、本考案の主な目的は、従来技術の汚泥収納用フレコンバッグ構造における、編組層の変位または糸の脱落によって接合箇所に破裂が発生する欠陥を防ぐ改善型汚泥収納用フレコンバッグ構造を提供することにある。
【課題を解決するための手段】
【０００６】
本考案は上記の目的を達するため、少なくとも１つの積層基布により、上に向かって開放される収容空間を囲んで形成する汚泥収納用フレコンバッグ構造を提供する。該積層基布は、外部被覆層、編組層、内部被覆層から構成され、かつ積層基布の接合箇所の末端において、その末端を折った後に縫うことで、折り辺を形成し、更に、高周波で積層基布の前端、後端の粘着された接合箇所を熱溶解する。前記構造により、編組層を拘束、かつ位置制限して、編組層の変位または糸の脱落を防ぐことができ、これにより、積層基布に汚泥を積載する際に、膨張によって延伸されることで、接合箇所での編組層の変位または糸の脱落問題が発生して、積層基布に破裂が起きる欠陥を防ぐことができる。
【図面の簡単な説明】
【０００７】
【図１】図1は、本考案の改善型汚泥収納用フレコンバッグ構造の実施例を示す図である。
【図２】図2は、本考案の改善型汚泥収納用フレコンバッグ構造の実施例の一部を示す分解図である。
【図３】図3は、本考案の改善型汚泥収納用フレコンバッグ構造の実施例の一部を示す分解図である。
【図４】図4は、本考案の改善型汚泥収納用フレコンバッグ構造の実施例の一部を示す図である。
【図５】図5は、従来の汚泥収納用フレコンバッグ構造の実施例を示す図である。
【図６】図6は、従来の汚泥収納用フレコンバッグの編組層構造の実施例を示す図である。
【図７】図7は、従来の汚泥収納用フレコンバッグ構造の実施例を示す図である。
【図８】図8は、従来の汚泥収納用フレコンバッグ構造の実施例を示す図である。
【考案を実施するための形態】
【０００８】
以下、図面を用いて本考案の改善型汚泥収納用フレコンバッグ構造の実施例を説明する。本考案の実施形態を容易に理解するため、同じ部分は同じ符号を用いて説明する。
【０００９】
図1〜図4に示されたように、汚泥収納用フレコンバッグ構造は、少なくとも１つの積層基布2により囲まれて収容空間21を形成し、該収容空間21により汚泥を収容する。
【００１０】
前記積層基布2は、順番に設けられている外部被覆層14、編組層15、内部被覆層16(図6を参照)を含み、かつ積層基布2の末端の接合箇所において、その末端を２つに折った後に縫うことで折り辺22が形成されて、編組層15の変位または糸の脱落が起こらないように拘束することができる。実施する時、内部被覆層16、外部被覆層14はポリ塩化ビニール(PVC- PolyVinyl Chloride)またはエチレン-酢酸ビニール共重合体(EVA- ethylene-vinyl acetate copolymer)中の一つを選択的に用いることができる。編組層15は選択的に複数の経糸152と緯糸151により編成され、または非織成布(不織布non-woven fabric、non-woven cloth)を用いることができる。
【００１１】
上述は本考案の好ましい実施例で、汚泥収納用フレコンバッグ構造の各構造部分と組立方式を提供している。実施する時、汚泥収納用フレコンバッグ構造は、少なくとも１つの積層基布2により囲まれることで、上へ向かって開口する収容空間21を形成する。ここで、積層基布2の末端の接合箇所において、その末端を２つに折った後に縫うことで、折られた部分が固定されて折り辺21を形成し、更に、高周波13により積層基布1の前端、後端の粘着される接合箇所で内部被覆層16、外部被覆層14を熱溶解させることで、積層基布1の両端を封合(連結)する。
【００１２】
これにより、折り辺21によって編組層15を位置決めかつ拘束し、編組層15が積層基布2の膨張により延伸されず、内外部被覆層16、外部被覆層14の間に変位または糸の脱落が発生されなくなり、積層基布2の構造の強度を確保することができる。使用者が収容空間21内に汚泥を便利に充填することができ、汚泥を運搬したり貯留したりすることができる。
【００１３】
更に、本考案の汚泥収納用フレコンバッグ構造は、実施する時、積層基布2の外側には高周波13により、吊り帯24を挿入させる複数の掛け部23が更に設けられることができ、これにより、機器が吊り帯24で汚泥収納用フレコンバッグを便利に吊ることができる。
【００１４】
上述は、本考案の特徴を明確にするための好ましい実施形態であり、本考案の保護範囲を制限するものではない。当業者が本考案に基づいて行う等価変化、および当業者において周知する変更は、依然として本考案の保護範囲内に属すべきである。
【符号の説明】
【００１５】
1    積層基布
11    収容空間
12    接合箇所
13    高周波
14    外部被覆層
15    編組層
16    内部被覆層
151    経糸
152    緯糸
2    積層基布
21    収容空間
22    折り辺
23    掛け部
24    吊り帯
【図１】
0003187079.tif 000003
【図２】
0003187079.tif 000004
【図３】
0003187079.tif 000005
【図４】
0003187079.tif 000006
【図５】
0003187079.tif 000007
【図６】
0003187079.tif 000008
【図７】
0003187079.tif 000009
【図８】
0003187079.tif 000010